(57)【要約】【課題】  記録媒体積載部に記録媒体が積載されていないことを検出し、また積載されている場合は記録媒体種類を検出する記録装置を提供する。【解決手段】  赤外光と紫外光を照射する光源を持つ記録媒体種類識別手段と、対向する位置に反射基準部材を設置した記録媒体積載部を有することを特徴とする記録装置。【選択図】        図１
2006225058.tif 000002
【特許請求の範囲】
【請求項１】
赤外光と紫外光を照射する発光部と、
前記発光部から照射された光が記録媒体や反射部材の表面で反射した反射光を受光する受光部を持つ記録媒体種類識別手段と、
前記記録媒体種類識別手段が対向する位置に反射基準部材を設置した記録媒体積載部を有することを特徴とする記録装置。
【請求項２】
前記発光部はＬＥＤ素子を用いたことを特徴とする請求項１に記載の記録装置。
【請求項３】
前記発光部は１つのパッケージ内に紫外光と赤外光を発光する素子を収納したことを特徴とする請求項１または２に記載の記録装置。
【請求項４】
前記記録装置の記録方式はインクジェット方式としたことを特徴とする請求項１乃至３のいずれかに記載の記録装置。
【発明の詳細な説明】
【技術分野】
【０００１】
本発明は、記録媒体種類の識別手段と記録媒体残量有無の検出を併せ持つ記録装置に関するものである。
【背景技術】
【０００２】
従来、記録装置に用いられる記録媒体種類検出に関する手段は、記録手段の近くに設けられて、記録媒体を記録媒体積載部から記録部に供給した後に、記録媒体種類の判別を行なうものや、記録媒体積載部に設けられて記録媒体種類検出のみを行なうものが一般的である。
【０００３】
また、記録媒体残量検出に関する手段は、発光素子と受光素子からなる光学センサと記録媒体に接触する揺動子の組み合わせで、記録媒体の有無により揺動子の位置が変化することにより、光学センサの光路を遮断または開放することによる出力変化で行なうものや、フォトインタラプタのような光学センサの光路を、記録媒体の有無により遮断または開放することによる出力変化で行なうものが一般的で、各々別個に設けられているものが一般的である。
【０００４】
記録媒体の有無を検出する一般的な例としては、特許文献１に明らかにされているような構成が知られている。
【０００５】
記録媒体の種類を検出する一般的な例としては、特許文献２に明らかにされているような構成が知られている。
【特許文献１】特開平７−２３７７８０号公報
【特許文献２】特開２００３−２２９９９６号公報
【発明の開示】
【発明が解決しようとする課題】
【０００６】
しかしながら、上記従来例では、
記録媒体種類の判別は、記録媒体を記録媒体積載部から記録手段に供給した後に、実施していることから、記録媒体種類の判別結果を基に記録データを、記録媒体の種類に応じて記録装置側で記録手段用にデータを展開する手段を持つ必要がある。
【０００７】
記録媒体の有無の検出は、記録媒体を記録媒体積載部から記録手段に供給動作を行い、記録媒体が揺動子に接触して位置が変化することにより、光学センサの光路を遮断または開放することによる出力変化で行なうことから、薄い記録媒体などでは、誤作動を起こす場合がある。
【０００８】
また、記録媒体を記録媒体積載部から記録手段に供給動作を行った後でなければ、記録媒体の有無が判らない。
【０００９】
記録媒体積載部に設けられて記録媒体種類検出のみを行なうものや、記録媒体の有無の検出のみを行なう検出器を用いたのでは、各々の検出器を別個に設けなければならずコストの上昇を招く恐れがある。
【００１０】
などという問題があった。
【００１１】
本発明は、以上の点に着目して成されたもので、記録媒体積載部に記録媒体が積載されていないことを検出し、また積載されている場合は記録媒体種類を検出する記録装置を提供することを目的とする。
【課題を解決するための手段】
【００１２】
この発明は下記の構成を備えることにより上記課題を解決できるものである。
【００１３】
（１）赤外光と紫外光を照射する発光部と、前記発光部から照射された光が記録媒体や反射部材の表面で反射した反射光を受光する受光部を持つ記録媒体種類識別手段と、前記記録媒体種類識別手段が対向する位置に反射基準部材を設置した記録媒体積載部を有することを特徴とする記録装置。
【発明の効果】
【００１４】
本発明によれば、
赤外光と紫外光を照射する発光部を持つ記録媒体種類検出と記録媒体有無の検出を兼ねる検出器と、記録媒体種類識別用の検出器が対向する記録媒体積載部の位置に反射基準部材を設けたことにより、記録媒体に見合った記録品位が簡単に得られ、記録媒体がない場合にも速やかに補給するなどの対応をとることが可能な、使い勝手のよい記録装置を簡単な構成によって提供することが可能となった。
【発明を実施するための最良の形態】
【００１５】
以下本発明を実施するための最良の形態を、実施例により詳しく説明する。
【実施例】
【００１６】
図１と図２は本発明実施例の記録装置の要部断面図である。
【００１７】
図１で、１は紙種センサ、２は記録媒体、３は記録媒体積載部、４は記録媒体経路、５は記録ヘッド、６は回路基板、７は紙無し基準である。
【００１８】
図２で、１１はＬＥＤ、１２は正反射光センサ、１３は拡散光センサである。
【００１９】
紙種センサ１は、紫外光と赤外光を発光する光源のＬＥＤ１１と正反射光センサ１２と拡散光センサ１３からなり、記録媒体積載部３に積載された記録媒体２の記録面側に対置するように、記録媒体積載部３に設置されていて、光源のＬＥＤから出射された光は、記録媒体積載部３に積載された記録媒体２の記録面側の表面状態に応じた光を反射し、光電変化素子の正反射光センサ１２と拡散光センサ１３に入射する。
【００２０】
記録媒体積載部３に記録媒体がない場合は、記録媒体と異なる反射特性を持つように選定された紙無し基準７に応じた出力が得られる。
【００２１】
紙無し基準７を記録媒体の種類判別用基準として用いることも可能で、記録媒体積載部３に記録媒体が積載されていない場合は、記録媒体の種類判別用基準を取得できる。
【００２２】
紙無し基準７は、黒色で反射光がきわめて小さい特性のものや、白色や銀色で反射光がきわめて大きい特性のもので、光源波長によらず反射率が一定の物が好ましい。
【００２３】
光電変化素子の正反射光センサ１２と拡散光センサ１３で得られた電気信号は、回路基板６に出力され、記録装置のインターフェースを介してホストコンピュータに送られ記録媒体の種類判別を行なう。
【００２４】
ホストコンピュータは記録媒体に見合った記録プロセスで記録データを展開して回路基板６に送り、回路基板６と共同して記録媒体積載部の記録媒体を記録媒体経路４への供給、記録ヘッド５での記録と記録媒体給送、排紙という一連の記録動作を行なう。
【００２５】
このように構成された記録媒体種類検出器によれば、
記録媒体に見合った記録プロセスで記録データを展開して記録するので、ユーザー意図する記録品位が得られない、というようなことは未然に防ぐ事が可能となる。
【００２６】
また、記録媒体が無い場合には、記録動作を行なう前に記録媒体が無い事をユーザーに知らせることが可能となることから、特にプリンタを複数のユーザーでネットワークを用いて共有して使用している場合などのように、離れた位置に設置している状況では、記録媒体を速やかに補給するなどの対応をとることが可能となる。
【００２７】
上述した実施の形態は、一例として掲げたものであり、本発明を限定するものではない。すなわち本発明は、前述した好ましい実施例に限られるものではなく、光源に用いるＬＥＤには紫外光と赤外光を発光する一体のＬＥＤではなく、それぞれのＬＥＤを配置して用いる構成や、ホストコンピュータを用いることなくプリンタ側で記録媒体の種類判別を行なうことなどの、一連の記録動作に伴う処理を併せておこなう構成など、本発明の要旨を逸脱しない範囲で、種々の態様にて実施可能なことは言うまでもない。
【図面の簡単な説明】
【００２８】
【図１】本発明実施例、記録装置の要部断面図である。
【図２】本発明実施例、記録媒体種類識別手段の構成を示す図である。
【符号の説明】
【００２９】
１    紙種センサ
２    記録媒体
３    記録媒体積載部
４    記録媒体経路
５    記録ヘッド
６    回路基板
７    紙無し基準シート
１１  ＬＥＤ
１２  正反射光センサ
１３  拡散光センサ
【図１】
2006225058.tif 000003
【図２】
2006225058.tif 000004